(57)【要約】【課題】別部材を追加することなく容器とボードとの取付け強度を高め、容器とボードが外れない陳列用パッケージを提供する。【解決手段】容器１１のヘッダー２７をボード４１に設けられたスリット４４に挿入する。この状態において、ボード４１の折返片４５を容器１１内側に向かって折り返し、ボードの前側ボード４３との間に容器１１の後側壁１３の後側脚部２８を挟み込み、支持する。次に下フラップ２５を容器１１の下開口部を塞ぐように折り曲げ、その上に下開口閉鎖部１７aを重ねると共に、下挿入片２１を容器１１内に差込むようにして下蓋体１７を折り畳む。この際、折返片４５が容器１１の後側壁１３と下蓋体１７の下挿入片２１との間に挿入されている。【選択図】図６
2008230650.tif 000002
【特許請求の範囲】
【請求項１】
透明プラスチック材料製の、前側壁と、後側壁と、左右側壁と、上下蓋体と、前記左右側壁に連接して設けられた上下フラップとを備え、前記上下蓋体の開口閉鎖部と該開口閉鎖部に連接して設けられ容器内へ折り曲げ挿入される挿入片との境界部において、左右端部から所定の長さに亘って切込みが形成され、該切込みに前記上下フラップの被挟持部が嵌って前記蓋体と前記フラップとが掛け止めされる容器と、前記容器の前記後側壁の外面に沿って配置されるボードとを備えた陳列用パッケージにおいて、前記容器には前記後側壁から上方へ伸びるヘッダーが設けられ、前記ボードには、左右方向所定の長さ範囲に渡って形成されたスリットと、該スリットの下方において前記ボードの前面側へ折返された折返片とを備え、前記容器の前記下蓋体は前記前側壁に連接して設けられ、前記容器のヘッダーを前記ボードの前記スリットに挿通し、前記ボードの前記折返片を前記下蓋体の前記挿入片と前記後側壁との間に挿入することにより前記容器と前記ボードとが一体化されることを特徴とする、陳列用パッケージ。
【請求項２】
請求項１記載の陳列用パッケージにおいて、前記上蓋体は前記前側壁に連接して設けられ、前記ボードの前記スリットは少なくともその一部において下方へ向かって凸状に形成されて舌片を形成し、該舌片が前記容器の前記後側壁と前記上蓋体の前記挿入片との間に挿入されることを特徴とする、陳列用パッケージ。
【請求項３】
請求項１又は２に記載の陳列用パッケージにおいて、前記ボードは、一枚の板を折り曲げて前側ボードと後側ボードとの二枚重ねにし、上下方向に伸びる縁部において前記前後側ボードを接着し、前記スリットは前記前側ボードに形成し、前記スリットに挿通された前記容器のヘッダーは、前記前後側ボードによって挟まれることを特徴とする、陳列用パッケージ。
【請求項４】
請求項３記載の陳列用パッケージにおいて、前記後側ボードに、前記接着された部位の近傍において上下にミシン目が設けられていることを特徴とする、陳列用パッケージ。
【請求項５】
請求項１乃至４のいずれか１に記載の陳列用パッケージにおいて、前記ボードの前記折返片と前記下蓋体の前記挿入片とは前記容器内において上部が容器中心側へ向かうように傾斜し、前記折返片と前記下蓋体の前記挿入片との少なくともいずれか一方がその先端において前記容器内へ挿入された商品に当接するようになっていることを特徴とする、陳列用パッケージ。
【請求項６】
請求項５記載の陳列用パッケージにおいて、前記折返片及び前記下蓋体の前記挿入片と、前記容器内の商品との当接箇所には商品の形状に対応した切欠きが設けられていることを特徴とする、陳列用パッケージ。
【発明の詳細な説明】
【技術分野】
【０００１】
本発明は陳列用パッケージに関する。さらに詳しく言えば、ボードと容器が組み合わされた陳列用パッケージに関する。
【背景技術】
【０００２】
従来から商品を陳列する際に商品がむき出しにならないよう商品を容器に入れ、さらにこの容器とボードが組み合わされた陳列用パッケージが使われている。そのような陳列用パッケージの一例が特開２００６−２６４７３８号に記載されている。
【０００３】
この陳列用パッケージにおいては、ボードの上側にスリットが、下側に舌片が設けられており、このスリットに容器の背面側壁から延びるヘッダーを挿入することにより、ボードと容器が組み合わされる。さらに、容器の底にボードから伸びる舌片を取り付けることにより、容器本体を下方で受け止めると共にボード表面から浮き上がるのを防止している。なお、容器及びボードには吊下用の孔がそれぞれ設けられており、組み合わされた時に重なるようになっている。そして、この孔にフックを通して陳列用パッケージごと陳列する。
【特許文献１】特開２００６−２６４７３８号公報
【発明の開示】
【発明が解決しようとする課題】
【０００４】
上記陳列用パッケージは２パターンの使用方法が予定されており、１つはケースのみを陳列する方法、もう１つは容器とボードを組み合わせた状態で陳列する方法である。ここで後者の方法に着目すると、前述したスリットにヘッダーを挿入する構造及び舌片を容器に取付ける構造を採用しているため、必ずしも容器のヘッダーに吊下用孔を設ける必要は無く、容器をボードに取付ける際に両方の孔の位置を合わせる作業も不要となる。しかし、この場合において消費者が商品を手に取る際に容器だけを引っ張ってしまうと容器がボードから外れる可能性がある。また、前記先行技術には舌片に面ファスナーや両面テープなどを用いて容器とボードとの取付け強度を高める構成も開示されているが、これでは製造コストが高くなってしまう。
【０００５】
本発明は上記課題を解決するためになされたものである。すなわち、その目的とするところは、別部材を追加することなく容器とボードとの取付け強度を高め、容器とボードが外れない陳列用パッケージを提供することにある。
【課題を解決するための手段】
【０００６】
上記目的を達成するため、請求項１記載の発明は以下の手段を採用する。すなわち、透明プラスチック材料製の、前側壁と、後側壁と、左右側壁と、上下蓋体と、前記左右側壁に連接して設けられた上下フラップとを備え、前記上下蓋体の開口閉鎖部と該開口閉鎖部に連接して設けられ容器内へ折り曲げ挿入される挿入片との境界部において、左右端部から所定の長さに亘って切込みが形成され、該切込みに前記上下フラップの被挟持部が嵌って前記蓋体と前記フラップとが掛け止めされる容器と、前記容器の前記後側壁の外面に沿って配置されるボードとを備えた陳列用パッケージにおいて、前記容器には前記後側壁から上方へ伸びるヘッダーが設けられ、前記ボードには、左右方向所定の長さ範囲に渡って形成されたスリットと、該スリットの下方において前記ボードの前面側へ折返された折返片とを備え、前記容器の前記下蓋体は前記前側壁に連接して設けられ、前記容器のヘッダーを前記ボードの前記スリットに挿通し、前記ボードの前記折返片を前記下蓋体の前記挿入片と前記後側壁との間に挿入することにより前記容器と前記ボードとが一体化されることを特徴とする、陳列用パッケージである。
【０００７】
上記構成においては、別部材を追加することなく、台紙と容器が容易に外れない陳列用パッケージを提供することができる。また、折返片が下蓋体の挿入片と容器の後側壁との間に挿入されているため、折返片の折返しが戻るのを妨げ、その結果ボードと容器の取付がより一層強固になる。
【０００８】
請求項２記載の発明は、請求項１記載の陳列用パッケージにおいて、前記上蓋体は前記前側壁に連接して設けられ、前記ボードの前記スリットは少なくともその一部において下方へ向かって凸状に形成されて舌片を形成し、該舌片が前記容器の前記後側壁と前記上蓋体の前記挿入片との間に挿入されることを特徴とする、陳列用パッケージである。この構成によれば、ヘッダーを容易にスリットに挿入することができる。さらに、容器とボードの取付けをより強固にすることができる。
【０００９】
請求項３記載の発明は、請求項１又は２記載の陳列用パッケージにおいて、前記ボードは、一枚の板を折り曲げて前側ボードと後側ボードとの二枚重ねにし、上下方向に伸びる縁部において前記前後側ボードを接着し、前記スリットは前記前側ボードに形成し、前記スリットに挿通された前記容器のヘッダーは、前記前後側ボードによって挟まれることを特徴とする、陳列用パッケージである。この構成によれば、容器が手前側に引っ張られた際にヘッダーの変形が制限されるため、スリットからヘッダーが抜け難くなる。さらにはボードの表面積が増すため、陳列用パッケージ自体を大きくすることなく、多くの商品説明や能書きを記載することが可能となる。
【００１０】
請求項４記載の発明は、請求項３記載の陳列用パッケージにおいて、前記後側ボードに、前記接着された部位の近傍において上下にミシン目が設けられていることを特徴とする、陳列用パッケージである。この構成によれば、ボードを容易に展開することができる。
【００１１】
請求項５記載の発明は、請求項１乃至４のいずれか１に記載の陳列用パッケージにおいて、前記ボードの前記折返片と前記下蓋体の前記挿入片とは前記容器内において上部が容器中心側へ向かうように傾斜し、前記折返片と前記下蓋体の前記挿入片との少なくともいずれか一方がその先端において前記容器内へ挿入された商品に当接するようになっていることを特徴とする、陳列用パッケージである。この構成においては、折返片及び挿入片の少なくともいずれか一方が商品を押さえつけるため、容器内で商品が回転するのを抑え、商品の見栄えが悪くならない。
【００１２】
請求項６記載の発明は、請求項５記載の陳列用パッケージにおいて、前記折返片及び前記挿入片と前記容器内の商品との当接箇所には商品の形状に対応した切欠きが設けられていることを特徴とする、陳列用パッケージである。この構成においては、折返片及び挿入片に商品の形状に対応した切欠きを設けることにより、折返片及び挿入片の商品に接触する面積が広がり、商品の回転をより確実に抑えることが可能となる。
【発明の効果】
【００１３】
本発明によれば、別部材を追加することなく、容器とボードが外れない陳列用パッケージを提供することができる。
【発明を実施するための最良の形態】
【００１４】
以下、図面を参照して本発明を具体化した実施形態について説明する。まず図１を参照して、陳列用パッケージ１の概略について説明する。図１は陳列用パッケージの斜視図である。
【００１５】
陳列用パッケージ１は化粧品等の商品を収納して展示販売するためのものであり、容器１１とボード４１とで構成される。容器１１は商品が外から目視できるようポリプロピレン、ポリエチレンテレフタレートなど透明プラスチック材料を用いて製造されており、その形状は略直方体の箱型である。他方、ボード４１は容器１１よりも面積の大きな台紙であり、容器１１の背面側に配置されている。
【００１６】
次に、図２及び３を参照して容器１１について説明する。図２は容器の展開図であり、この状態から適宜箇所において山折りあるいは谷折りされて、図３の斜視図に示される状態に組立てられる。
【００１７】
容器１１は、前側壁１２と、その両側辺につながる左右側壁１４、１５と、右側壁１５の側辺につながる後側壁１３とを備えている。前側壁１２にはその上下端縁においてそれぞれ上下蓋体１６、１７が設けられている。前側壁１２の下側端縁には下蓋体１７へ入り込む一対の台形状の切込み１８が設けられ、下蓋体１７を折り曲げたときに前側脚部１９を形成するようになっている。また、この上下蓋体１６、１７はそれぞれ、容器１１を組立てる際に折り曲げられて容器１１の上下開口部を閉鎖する上下開口閉鎖部１６a、１７aと、それからさらに折り曲げられて容器１１内に挿入される上下挿入片２０、２１とで構成されており、このうち下蓋体１７の下挿入片２１の先端部には円弧状の切欠き２２が設けられている。上下開口閉鎖部１６a、１７aと上下挿入片２０、２１との連結部分の両端部（図２において左右方向両端部）には図示のように「Ｌ」字型の切込み２３a、b、c、dが設けられている。
【００１８】
左右側壁１４、１５は対称な形状をしており、それぞれの上下端部に上フラップ２４、下フラップ２５が連結されている。上下フラップ２４、２５の外側基端部には台形状の被挟持部２６a、b、c、dが設けられている。この上下フラップ２４、２５は、容器１１を組立てる際に、容器１１の上下開口部を塞ぐように折り込まれ、その上に上下蓋体１６、１７の上下開口閉鎖部１６a、１７aが重なるように折り込まれると共に、挿入片が折り曲げられた状態で容器１１内側へ挿入される。この際、上下フラップ２４、２５の被挟持部２６a、b、c、dがそれぞれ対応する上下蓋体１６、１７の切込み２３a、b、c、dの部分に嵌り、上下開口閉鎖部１６a、１７aと上下挿入片２０、２１とにより挟まれる。これにより上下挿入片２０、２１が被挟持部２６a、b、c、dに引っ掛かって容器１１内部から抜けなくなるため、上下蓋体１６、１７が外れないようになる。
【００１９】
後側壁１３には他の側壁に比べ上方に長く伸びるヘッダー２７が形成され、また下方に僅かに伸びる逆さ台形状の後側脚部２８が形成されている。この後側脚部２８は前側壁１２の前側脚部１９と略同じ高さに形成され、容器１１はこれらを下にして立たせることが可能となる。さらに、後側壁１３の側辺には接着部２９が設けられている。容器１１を組立てる際にこの接着部２９を左側壁１４に接着することにより後側壁１３と左側壁１４とを一体化させる。
【００２０】
次いで、図４、５を参照してボード４１について説明する。図４はボードを展開した状態での正面図、図５は折り畳んだ状態におけるボードの正面図である。
【００２１】
本実施形態においてボード４１は、図４に示される略四角形の台紙を、図５に示されるように折り畳んだ状態にして構成される。そのため略中央部において高さ方向（図４において上下方向）に伸びる折目線４２が形成されている。ボード４１はこの折目線４２を境に、一方（図４におて左側）が陳列時に前面となる前側ボード４３、他方（図４において右側）が陳列時に背面となる後側ボード４７とに分けられる。
【００２２】
前側ボード４３にはその右側の上下方向中央部から上方にずれた位置において、両側の直線部と円弧部からなる略「ひ」の字状のスリット４４が設けられ、円弧部のスリットによって半円状の舌片５１が形成されている。このスリット４４は幅方向（図４において左右方向）が容器１１のヘッダー２７のそれより若干長くしてある。また、前側ボード４３の長手方向一端部（図４において下方）の左右方向においてスリット４４に対応する位置に折返片４５が一体的に設けられている。この折返片４５は略長方形であり、先端に円弧状の切欠き４６が設けられている。他方、後側ボード４７には折目線４２と逆側の端部において接着縁４８が設けられている。そして、この接着縁４８を境界付けるようにミシン目４９が長手方向（図４において上下方向）に形成されている。前側ボード４３及び後側ボード４７にはそれぞれ上端部において、折り畳んだ時に重なる吊下用孔５０が設けられている。そして、折り畳んだ際には後側ボード４７の接着縁４８のみを接着する。このように台紙を２枚重ねにしてボード４１を形成することにより、その分ボード４１の表面積が増え、陳列用パッケージ１自体を大きくすること無く、多くの商品説明や能書きを記載することが可能となる。
【００２３】
次に、図６、７を参照して、容器１１とボート４１の取付構造について説明する。図６は取付前の状態における陳列用パッケージの斜視図、図７は左側壁を切り取った状態における商品が収納された陳列用パッケージの側面図である。
【００２４】
まず、ボード４１に設けられたスリット４４の下から容器１１のヘッダー２７を上方向（図６において矢印Ａ方向）に挿入する。この際スリット４４には円弧状の舌片５１が設けられているため、スリット４４全体が直線の場合と比べ、容易にヘッダー２７を挿入できる。この状態において、折返片４５を容器１１内側（図６において矢印Ｂ方向）に向かって折り返す。これにより折返片４５がボードの前側ボード４３との間に容器１１の後側壁１３の下端部（後側脚部２８）を挟み込み、支持することとなる。次に図示していない下フラップ２５を容器１１の下開口部を塞ぐように折り込み、その上に下開口閉鎖部１７aを重ねると共に下挿入片２１を容器１１内に差込むようにして下蓋体１７を（図６において矢印Ｃ方向に）折り畳む。この際、下挿入片２１と折返片４５とが重なり合うこととなる（図７参照）。なお、本実施形態においてスリット４４の舌片５１は円弧状に形成されているが、この形状に限定されない。
【００２５】
ボード４１と容器１１とは折返片４５の折返しが戻らない限り外れず、下蓋体１７が開かない限り折返片４５が外れることは無い。そして上記構成によれば、吊下げられた状態で容器１１が下方に引っ張られても下蓋体１７が開くことはないので、容器１１がボード４１から外れてしまうことはない。また、容器１１が手前側に引っ張られた場合も同様である。したがって、別部材を追加することなくボード４１と容器１１が容易に外れない陳列用パッケージ１を提供することができる。また、容器１１とボード４１を取付けた際、舌片５１が容器１１内に入り込むため、容器１１が手前側に引っ張られた場合に舌片５１が後側壁１３に引っ掛かる。この構成により、容器１１とボード４１はより強固に取付けられることとなる。さらに、折返片４５が容器１１の後側壁１３と下蓋体１７の下挿入片２１との間に挿入されているため、下挿入片２１が折返片４５の折返しが戻るのを妨げ、その結果ボード４１と容器１１の取付がより一層強固になる。
【００２６】
加えて、図７に示すように折返片４５及び下挿入片２１が商品２に当接する。従来から、パッケージが動かされたりすると、容器１１の中に収納された例えばチューブ状の商品等が容器内で回転してしまい、商品の見栄えが悪くなるという問題があった。しかし、上記構成を採用することにより、折返片４５及び下挿入片２１が商品２に当接し、商品２を押さえつけるため、商品２が回転するのを抑え、陳列時に商品２の見栄えが悪くならない。また、本実施形態のように下挿入片２１及び折返片４５の先端に商品２の形状に対応した円弧状の切欠き２２、４６を設けることにより、下挿入片２１及び折返片４５と商品２との接触面積が広がり、商品２の回転をより確実に抑えることが可能となる。なお、商品２の回転を抑えるためには折返片４５及び下挿入片２１のうち少なくともいずれか一方が商品２に当接していればよく、必ずしも両方が当接していなくても良い。また、折返片２１の切欠き２２及び挿入片４５の切欠き４６は容器１１内に収納される商品の形状に対応させるのが望ましく、上記実施形態における形状に限定されない。
【００２７】
さらに、前述の通り下蓋体１７の下開口閉鎖部１７aと下挿入片２１とにより下フラップ２５の被挟持部２６c、dが挟まれることにより、下蓋体１７と下フラップ２５とが掛け止めされているが、本実施形態によれば折返片４５が後側壁１３と下挿入片２１との間に配置されるため、この掛け止めが外れ難くなっており、容器１１内の商品２の重み等によって下蓋体１７が開いてしまうことがない。
【図面の簡単な説明】
【００２８】
【図１】陳列用パッケージの斜視図
【図２】容器の展開図
【図３】容器の斜視図
【図４】ボードの正面図
【図５】折り畳んだ状態におけるボードの正面図
【図６】取付前の状態における陳列用パッケージの斜視図
【図７】左側壁を切り取った状態における商品が収納された陳列用パッケージの側面図
【符号の説明】
【００２９】
１    陳列用パッケージ
２    商品
１１    容器
１７    下蓋体
１７a   下開口閉鎖部
２１    下挿入片
２２    切欠き
２７    ヘッダー
４１    ボード
４４    スリット
４５    折返片
４６    切欠き
【図１】
2008230650.tif 000003
【図２】
2008230650.tif 000004
【図３】
2008230650.tif 000005
【図４】
2008230650.tif 000006
【図５】
2008230650.tif 000007
【図６】
2008230650.tif 000008
【図７】
2008230650.tif 000009